(57)【特許請求の範囲】
【請求項１】
同軸ジャックモジュールであって、
内部を画成する壁を有するハウジングと、
前記内部にて平行に離隔して配置され、前端から後端まで延びる第１同軸中心導体及び第２同軸中心導体と、
切り替え機構と、
から成り、
前記壁は前方壁を有しており、前記前方壁は第１及び第２ポートを備えており、前記第１及び第２ポートは前記第１及び第２ポートで露出している前記前端と係合するセンターピンを有するプラグを収容し、
前記壁は、外部同軸導体に取り付けるために、且つ前記外部同軸導体を個々の前記後端に電気的に結合させるために同軸コネクタを有する後方壁を備えており、
前記第１及び第２同軸中心導体は、前記後端を有する後部と、前記前端を有する分離された前部とをそれぞれ含んでおり、
前記前部は前記内部に摺動可能に取り付けられ、前記前部は接続位置と非接続位置との間を軸方向に摺動し、前記接続位置において前記前部は前記後部に電気的に接続され、前記非接続位置において前記前部は前記後部から電気的に切断され、
前記切り替え機構は、前記前部が共に前記非接続位置にあるときは前記後部を電気的に接続し、前記前部の少なくとも一方が前記接続位置にあるとき前記後部を電気的に切断するために、前記内部に収容されており、前記切り替え機構は所定の抵抗を有する接地された接点を有し、前記第１及び第２同軸中心導体の前記前部の一方が前記非接続位置にあり且つ前記他方の第１又は第２同軸中心導体の前記前部が接続位置にあるとき、前記一方の第１又は第２同軸中心導体の前記後部は前記接地された接点に接続されることを特徴とする同軸ジャックモジュール。
【請求項２】
前記壁は、前記内部を前部チャンバと後部チャンバとに分離する内部壁を有し、
前記後部及び前記切り替え機構は前記後部チャンバ内に完全に配置され、
前記前部の前記前端は前記前部チャンバ内に配置され、前記前部の後部接続端部は前記後部チャンバ内に配置されており、
前記前部チャンバから前記後部チャンバまでの粒子の流れに抵抗するためのシールが設けられていることを特徴とする請求項１の同軸ジャックモジュール。
【請求項３】
前記シールは、前記前部を前記内部に摺動可能に取り付けて、且つ前記第１及び第２同軸中心導体の軸を横断する閉じた面を有するために誘電支持体を有していることを特徴とする請求項２の同軸ジャックモジュール。
【請求項４】
前記切り替え機構は、前記前部の一方が前記接続位置に移動することに応じて前記前部の一方が関係する後部と電気的に接続された後で前記後部を電気的に切断するメイク・ビフォア・ブレークスイッチであることを特徴とする請求項１の同軸ジャックモジュール。
【請求項５】
前記同軸ジャックモジュールは、前記第１及び第２同軸中心導体の前記前部を前記非接続位置に向けて別個に付勢する第１及び第２スプリングから成ることを特徴とする請求項１の同軸ジャックモジュール。
【請求項６】
前記後部は前部接続端部を有し、前記前部接続端部は対向する前記前部の後部接続端部と整列し、前記前部が前記接続位置に移動した際に、前記後部接続端部は前記前部接続端部上を摺動し、
前記前部接続端部は半径方向に撓む接触タブを有し、前記後部接続端部が前記前部接続端部上を摺動する際に、前記接触タブは半径方向内方に付勢され、
前記第１及び第２同軸中心導体の前記後部のそれぞれの前記前部接続端部から軸方向に延びる誘電体第１及び第２スプリング支持ピンが設けられ、前記第１及び第２スプリング支持ピンは、前記後部接続端部の付勢による前記タブの撓みに等しい間隔だけ前記タブから離れ、
前記第１及び第２スプリングの第１端部は前記第１及び第２スプリング支持ピンに固定され、前記第１及び第２スプリングの第２端部は前記前部に対向し、前記前端の前記接続位置への移動によって前記第１及び第２スプリングは付勢されて前記第１及び第２スプリングは圧縮されることを特徴とする請求項５の同軸ジャックモジュール。
【請求項７】
前記切り替え機構は、前記前部の一方が前記接続位置に移動することに応じて前記前部の一方が関係する後部と電気的に接続された後で前記後部を電気的に切断するメイク・ビフォア・ブレークスイッチであり、
前記切り替え機構は、前記第１及び第２後部に付勢されている第１及び第２端部を有するメインスプリングと、前記メインスプリングの前記第１及び第２端部から離隔している第１及び第２スプリングアームを備えた終端スプリングと、を有し、
前記第１及び第２前部の前記後部接続端部は第１及び第２カムを有し、前記前部が前記接続位置に移動して、前記カムが前記第１及び第２スプリングアームを前記第１及び第２端部に付勢して前記第１及び第２端部が前記第１及び第２後部から離れるように付勢された際に、前記第１及び第２スプリングアームと係合するように前記第１及び第２カムが配置されていることを特徴とする請求項６の同軸ジャックモジュール。
【請求項８】
前記切り替え機構は、前記第１及び第２後部に付勢されている第１及び第２端部を有するメインスプリングと、前記メインスプリングの前記第１及び第２端部から離隔している第１及び第２スプリングアームを備えた終端スプリングと、を有し、前記終端スプリングは前記接地された接点の少なくとも一部を形成し、
前記第１及び第２前部の後部接続端部は第１及び第２カムを有し、前記第１及び第２カムは、前記前部が前記接続位置に移動する際に前記切り替え機構を駆動するように配置され、前記第１及び第２端部並びに前記第１及び第２スプリングアームは接触し、前記第１及び第２端部は前記第１及び第２後部から離れるように移動することを特徴とする請求項５の同軸ジャックモジュール。
【請求項９】
前記切り替え機構は、前記前部の一方が前記接続位置に移動することに応じて前記前部の一方が関係する後部と電気的に接続された後で前記後部を電気的に切断するメイク・ビフォア・ブレークスイッチであることを特徴とする請求項８の同軸ジャックモジュール。
【請求項１０】
前記第１及び第２同軸中心導体は、前記前端が開口し且つ前記第１及び第２ポートで露出した状態で前記ハウジング内で支持され、
更に、前記第１及び第２ポート内に摺動可能に収容される大きさのプラグスリーブと、前記プラグスリーブ内で軸方向に配置され且つ前記プラグスリーブが前記第１及び第２ポートに差し込まれる際に前記開口した前端内に摺動可能に収容されるような大きさの前記センターピンと、を有する前記プラグから成り、
前記センターピンと結合した中心導体とは、前記結合した中心導体内にて前記センターピンの一部であるオーバーラップ長さを形成し、
前記プラグ及びジャックは互いに前記オーバーラップ長さが前記ジャックの特性インピーダンスに等しいインピーダンスを有するように形成されることを特徴とする請求項１の同軸ジャックモジュール。
【請求項１１】
前記オーバーラップ長さは前記ハウジング内にて前記第１及び第２ポートから離れて配置されていることを特徴とする請求項１０の同軸ジャックモジュール。
【請求項１２】
前記オーバーラップ長さは前記プラグスリーブから離れて配置されていることを特徴とする請求項１０の同軸ジャックモジュール。
【請求項１３】
前記プラグスリーブは誘電体であることを特徴とする請求項１０の同軸ジャックモジュール。
【請求項１４】
同軸ジャック及びプラグであって、前記同軸ジャックは開口先端を備えた中心導体を有し、前記中心導体はジャックハウジング内で支持され、前記中心導体の軸はジャックポートと同軸に配置され、前記開口先端は前記ジャックポートで露出しており、前記プラグは、
前記ジャックポート内に摺動可能に収容されるような大きさのプラグスリーブと、
前記プラグスリーブが前記ジャックポートに差し込まれる際に前記開口先端内で摺動可能に収容される大きさを有し、前記プラグスリーブ内で軸方向に配置されたプラグセンターピンと、から成り、
前記プラグセンターピンと前記中心導体とは前記中心導体内で前記プラグセンターピンの一部であるオーバーラップ長さを形成し、
前記プラグと前記同軸ジャックとは、前記オーバーラップ長さが前記同軸ジャックの特性インピーダンスに等しいインピーダンスを有するように形成されており、前記プラグと前記同軸ジャックとの間に形成される不整合インピーダンスは回避されることを特徴とする同軸ジャック及びプラグ。
【請求項１５】
前記オーバーラップ長さは、前記ハウジング内にて、前記ジャックポートから離れて配置されていることを特徴とする請求項１４の同軸ジャック及びプラグ。
【請求項１６】
前記オーバーラップ長さは前記プラグスリーブから離れて配置されていることを特徴とする請求項１４の同軸ジャック及びプラグ。
【請求項１７】
前記プラグスリーブは誘電体であることを特徴とする請求項１４の同軸ジャック及びプラグ。
【請求項１８】
前記オーバーラップ長さは、前記プラグスリーブから離れて配置されていることを特徴とする請求項１５の同軸ジャック及びプラグ。
【請求項１９】
前記プラグスリーブは誘電体であることを特徴とする請求項１５或いは１８の同軸ジャック及びプラグ。
【請求項２０】
前記プラグスリーブは誘電体であることを特徴とする請求項１６の同軸ジャック及びプラグ。
【発明の詳細な説明】
Ｉ．発明の背景
１．発明の分野
本発明は同軸ジャックに関する。特に、本発明は高周波伝送速度での使用に適した切り替え同軸ジャックに関する。
２．従来技術の説明
切り替え同軸ジャックは周知である。その例としては、Burroughsに付与された米国特許第4749968号及び第5467062号がある。その他の例として、Sieceanuに付与された米国特許第5246378号がある。
従来の切り替え同軸ジャックは、接地された電気伝導性ハウジング内にて平行に配置された２つの概ね密な中心導体を有する。２つの中心導体間には切り替えアセンブリが配置されている。
切り替えアセンブリはＶ字状のスプリングを有し、該スプリングは第１及び第２の端部を備え、第１の端部は一方の中心導体に付勢され、第２の端部は他方の中心導体に付勢されている。その結果、中心導体は中心導体の一方における電気信号が切り替えアセンブリを介して他方の中心導体に到達するような通常の信号伝達を行う。
この切り替え同軸ジャックは電気通信或いはビデオ通信産業に使用されることが多い。ハウジングの後端部は同軸ケーブルに半永久的或いは永久的に接続するためにコネクタを備えている。中心導体の前端には、所定の寸法のプラグを収容するためのジャックポートが備えられている。通常、この切り替えジャックはプラグをポートに挿入しなくても動作する。従って、後部コネクタの一方から中心導体に入る信号は、切り替えアセンブリを通過して、他方の後部コネクタを介してジャック装置から出る。
信号の経路を変えたり、新たな信号を入力するようなジャックが望ましいときがある。そのためには、付属の同軸ケーブルを備えているジャックプラグを前方のポートの一方に挿入する。ジャックプラグを前方のポートに差し込むと、ジャックプラグはＶ字状のスプリングと係合して、該スプリングはプラグが挿入されているポートに関係する中心導体から離れる。Ｖ字状のスプリングを中心導体から離すことによって、中心導体と他方の中心導体とは切断され、もって信号は中心導体の全体の長さに沿って直接流れてポートから出る。ジャックの２つの中心導体の接続を断つことの他に、プラグを差し込むと他方の中心導体が抵抗を介して接地点に電気的に接続され、このシステムの所望の電気的なインピーダンスが保たれる。
上記の構造の場合、通常、後部コネクタから後部コネクタまで流れる信号はＶ字状のスプリングを介して流れる。接地或いは他の接続源に接続されずにＶ字状のスプリングを越えて延びる中心導体の実質的な長さがある。以前はこの中心導体の開放された長さは電気通信産業において殆ど問題にならなかった。しかし、伝送周波数が高いと、この中心導体の開放された長さは、信号を歪ませたり信号の一体化に害を与える場合がある。
従来の切り替え同軸ジャックの問題としては、他に粉じん或いは他の汚染物が切り替えアセンブリに進入することである。典型的にこのようなジャックの場合、前方のポートを介してジャックの切り替えアセンブリに空気が流れる。
II．発明の概要
本発明の好適な実施例によると、平行に配置された第１及び第２同軸中心導体を含むハウジングを有する切り替え同軸ジャックが開示されている。中心導体は、ハウジングの前方壁のポートで露出した前端を有し、プラグのセンターピンを収容する。中心導体の後端は、該後端と外部導体とを結合するための同軸コネクタを有する。各中心導体は、後部及び前部を有している。前部は、該ハウジング内部で摺動可能に取り付けられ、接続位置と非接続位置との間を軸方向に摺動する。接続位置において、前部は後部に電気的に接続される。非接続位置において、前部は後部から電気的に切断される。切り替え機構は、ハウジング内にて後部間に収容され、前部が共に非接続位置にあるとき、後部を電気的に接続する。切り替え機構は、前部の少なくとも一方が接続位置にあるとき、後部を電気的に切断する。
III．図面の説明
図１は、本発明の係わる切り替え同軸ジャックモジュールの断面図である。
図２は、図１のジャックにプラグを挿入したときの図である。
図３は、インピーダンス整合が改良された新規性を有するジャックプラグの概略側断面図である。
図４は、改良プラグの他の実施例の側断面図である。
図５は、ジャック内に挿入された改良プラグの第３実施例を備えた図１の変形ジャックの側断面図である。
IV．好適実施例の説明
切り替え同軸ジャックモジュール１０は、側壁１４、前壁１６、後壁１８を有する電気伝導性ハウジング１２を備えている。この壁１２，１４，１６，１８は、底壁２０及びカバー（図示せず）と協力してハウジング内部２２を画成する。
中間壁２４は、側壁１４間にて内部２２で延びている。壁２４は、前壁１６と後壁１８との間に位置しており、且つ前壁１６と後壁１８とに平行であり、内部２２を後部チャンバ２２ａと前部チャンバ２２ｂとに分ける。
ハウジングは第１及び第２同軸中心導体３０、３０’を含み、それぞれ前端３２，３２’から後端３４，３４’まで延びている。中心導体３０，３０’は、内部２２内で平行に取り付けられ、離隔して配置されている。
前壁１６は、スリーブ１０２によって包囲されているセンターピン１０４を有する（図２に概略だけ示されている）電気通信プラグ１００を収容する２つのポート３６、３６’を有する。ポート３６，３６’は、挿入されたプラグ１００のセンターピン１０４が中心導体３０，３０’の開口した前端３２、３２’と電気的に結合するように配置されている。接地クリップ３８は、前部チャンバ２２ｂ内に収容されており、ポート３６，３６’の一方に挿入されているプラグの外側スリーブ１０２と摺動可能に接続され、外側スリーブ１０２を電気的な接地点に接続する。中心導体３０、３０’を包囲するハウジング１２の内表面は、電気伝導性中心導体３０、３０’を包囲する接地シールドを提供している。
各中心導体３０、３０’は、後方部３０ａ、３０ａ’及び前部３０ｂ、３０ｂ’を含んでいる。前部３０ｂ、３０ｂ’は、内部２２内で摺動可能に取り付けられ、接続位置と非接続位置との間において、後方部３０ａ、３０ａ’に対して軸方向に移動する。
図１の前部３０ｂ、３０ｂ’は、共に後方部３０ａ、３０ａ’から離隔している非接続位置にある。（図２で前部３０ｂに対してのみ図示される）接続位置にて、前部３０ｂ、３０ｂ’は、後方部３０ａ、３０ａ’と電気的に接続するために、後方部３０ａ、３０ａ’に向かって摺動する。
図示されるように、後方部３０ａ、３０ａ’は、後部チャンバ２２ａ内に完全に収容されている。前部３０ｂ、３０ｂ’は、前部チャンバ２２ｂ内に収容されており、後部接続端部３１、３１’が後部チャンバ２２ａに延びている。
前部３０ｂ、３０ｂ’は、内部壁２４を通過して、シーリング誘電支持体４０、４０’によって内部壁内に摺動可能に支持されている。後方部３０ａ、３０ａ’は、誘電支持体４２、４２’によってチャンバ２２ａ内に支持されている。
誘電支持体４０、４０’は、前部３０ｂ、３０ｂ’を摺動可能に収容する中心ハブ４４，４４’を有し、前部３０ｂ、３０ｂ’を固定型後方部３０ａ、３０ａ’と同軸上で摺動させる。支持体４０、４０’は、壁１４、２４内に適宜に収容されている円錐壁４６、４６’を有し、支持体４０、４０’を固定位置で保持する。円錐壁４６、４６’は、中心導体３０、３０’の軸と直交する閉塞した半径方向面を提供して、前部チャンバ２２ｂから後部チャンバ２２ａまでの粉じんの移動に対して抵抗する。更に、支持体４２、４２’は、ハウジングの外部から後部チャンバ２２ａへの粉じんの移動を制限する。その結果、後部チャンバ２２ａは、ハウジングの外部から後部チャンバ２２ａへ移動する粉じんに対して実質的にシールされる。
粉じんの流れに対する抵抗を提供するほかに、支持体４０、４０’が中心導体３０、３０’の軸に直交する誘電体材料の表面における実質的な領域を提供しないので、円錐壁４６、４６’は信号の後方反射を低減する。この直交表面を回避することで、中心導体３０、３０’で送られる信号の望ましくない後方反射を低減することができる。
各後方部３０ａ、３０ａ’は後方部３０ａ、３０ａ’の前部接続端部５２、５２’にて軸方向に延びる誘電体スプリング支持ピン５０、５０’を含んでいる。ピン５０、５０’は、中心導体の前部３０ｂ、３０ｂ’の後部接続部３１、３１’に延びている。
第１及び第２スプリング５４、５４’は、各ピン５０、５０’に搭載され、前部３０ｂ、３０ｂ’の内表面に当接している。従って、スプリング５４、５４’は、各前部３０ｂ、３０ｂ’を図示の如く接続位置から離して非接続位置に向けて付勢する。
後部接続部３１、３１’は、内部円筒状表面を有している。前部接続端部５２、５２’の外表面は、カンチレーバードタブ（cantilevered  tab）５６、５６’を備え、該タブ５６、５６’は、拡大直径領域５６ａ、５６ａ’を有しており、その他の直径は、端部３１、３１’の内径よりも大きい。従って、前部３０ｂ、３０ｂ’が接続位置に移動すると、端部３１、３１’は端部５２、５２’上を摺動して、タブ５６と電気的及び機械的な接触をする。タブ５６、５６’は、半径方向内方に撓むことができるようにピン５０、５０’から離隔している。また、後部接続端部３１、３１’は、絶縁カム６０、６０’を以下で述べる目的で移動させる。
切り替え機構６２は、後部チャンバ２２ａ内に収容されている。切り替え機構６２は、誘電体支持ブロック６６で支持されているメインスプリング６４を備えている。メインスプリング６４は、第１端部６５及び第２端部６５’を有している。第１端部６５は、付勢されて後方部３０ａと電気的な接触をする。同様に、第２端部６５’は、付勢されて後方部３０ａ’と電気的な接触をする。
切り替え機構６２は、抵抗器（図示せず）を介して接地され、且つ支持ブロック６６で支持されている終端スプリング６８を更に有している。終端スプリング６８は、第１スプリングアーム６９及び第２スプリングアーム６９’を有している。スプリングアーム６９、６９’は、メインスプリング６４の第１及び第２端部６５、６５’から離隔している。各アーム６９、６９’は、誘電体カム表面７０、７０’を支持している。
このような構成において、プラグ１００がポート３６、３６’の一方に挿入されると、プラグのセンターピン１０４は、中心導体３０、３０’の前端３２、３２’内に収容される。この挿入によって、前部３０ｂ、３０ｂ’が後方に向かい接続位置まで移動する。前部３０ｂ、３０ｂ’が後方に移動すると、カム６０、６０’はカム表面７０、７０’と係合する。この係合によって、スプリングアーム６９、６９’が付勢されて第１及び第２スプリング６５、６５’と電気的に接触し、スプリング端部６５、６５’を後方部３０ａ、３０ａ’から離れる方向に付勢する。
プラグ１００がポート３６、３６’のいずれにも収容されていないとき、後方部３０ａ、３０ａ’は、メインスプリング６４を介して接続されている。しかし、プラグ１００をポート３６、３６’の一方に挿入すると、終端スプリング６８が中心導体の関係する後部との接触から離れる方向にメインスプリング６４を付勢し、他方の中心導体が抵抗を介して接地される。好ましくは、切り替え機構６２の要素は、メインスプリングが後方部３０ａ、３０ａ’から離れる前に、前部３０ｂ、３０ｂ’が移動して後方部３０ａ、３０ａ’と電気的に接続されるように構成されている。この連続動作を"メイク・ビフォア・ブレーク"切り替えとする。
図２において、標準プラグ１００が概略で示されている。このプラグは、同軸に配置されるスリーブ１０２によって完全に包囲されているセンターピン１０４を通常有している。スリーブ及びセンターピンは、電気伝導性を有する。図２において、プラグ１００は、概略的な断面図で示されている。この図において、クロスハッチング（cross hatching）によってプラグ１００が図示されている。実際、スリーブ１０２は、センターピン１０４から離隔しており、もってセンターピン１０４は、信号源（或いは信号の行き先）に接続される一方、スリーブ１０２は、プラグ１００に取り付けられている同軸ケーブルの接地スリーブに電気的に接続されている。スリーブ１０２とピン１０４との間の空間を設けることによって、プラグ１００は特性インピーダンスを有する。図２に示されるように、ピン１０４が中心導体３０の開口端３２に挿入されると、ピン１０４と中心導体３０とがオーバーラップするオーバーラップ長さ１０６が形成される。従来のジャックプラグ１００の場合、オーバーラップ長さ１０６は、スリーブ１０２内に完全に含まれており、ポート３６に包囲されている領域に一部が延びている。
従来のプラグ１００を用いて図２のオーバーラップ領域或いはオーバーラップ長さ１０６を形成すると、インピーダンスの不整合が起こる場合がある。即ち、ジャック１０は、７５オームの所望の特性インピーダンスを通常有することができる。同様にプラグ１００は、７５オームの所望の特性インピーダンスを有する。出願人は、０．３２８インチ（通常）のスリーブ１０２の内径を有するプラグ１００が０．１２５インチの中心導体３０の外径を（空気誘電体で）包囲すると、約５８オームのインピーダンスがオーバーラップ長さ１０６にて発生することが分かった。同様に、（０．３８１インチの内径を通常有する）ポート３６内に配置されると、中心導体３０の０．１２５インチの外径によって、約６７オームのインピーダンスが発生する。前記の寸法は典型的なものでWECO標準プラグ等の標準プラグに関して与えられたものである。信号路のインピーダンスは、およそ７５オームが理想である。前述のインピーダンスの不整合が起こると、一定の割合の入力電力が電源に向かって後方反射して、信号の質を落とす。この質の低下は、ジャック１０及びプラグ１００を高い伝送速度に適用する場合に特に問題となる。
図２に示すように、ジャック１０は、従来の標準サイズのプラグ１００に使用できる。加えて、本発明は、ジャック１０及びプラグ１００の新規性のある形状を含んでおり、インピーダンスの不整合を低減或いは回避する。この変形ジャック及びプラグを図５に示す。図２と同様な機能及び目的を有する要素には、実施例を区別するために図５において、”−１”を付けて同様な番号付けを行う。
図５に示されるように、ジャック中心導体３０−１及びプラグ１００−１のピン１０４−１は、プラグ１００−１をポート３６−１内に差し込んだ際、中心導体３０−１の自由端３２−１が完全にジャック１０−１の内部２２−１に収容される及びポート３６−１から離れるようなサイズである。自由端３２−１をポート３６−１から離れる方向に移動させるようにこの要素のサイズを決定した結果、ジャック中心導体がジャックポートと重なることがないために、ジャックポート内で延びるジャック中心導体の前述のインピーダンスの不整合は回避される。
インピーダンスの不整合を回避する前述の方法の他に、スリーブ１０２−１がオーバーラップ領域１０６−１を包囲しないように、プラグのスリーブ１０２−１の軸方向の長さを短縮することができる。これによって、上記の７５オームのインピーダンス不整合が解消される。インピーダンス不整合を低減するために、好ましくはスリーブ１０２−１を短縮してスリーブ１０２−１がオーバーラップ領域１０６−１の上を延びることを防ぐ。図５は、オーバーラップ領域１０６−１を包囲する部分がスリーブ１０２−１にないようにスリーブ１０２−１を短縮した状態を示している。
図３は、プラグ１００−２の実施例であり、スリーブ１０２−２は図５に示されている程は短縮されていないが、センターピン１０４−２の一部がスリーブ１０２−２を越えるように短縮されている。その結果、スリーブ１０２−２によって包囲されているオーバーラップ領域１０６−１の長さが減少してインピーダンスの不整合が低減される。
図４は、プラグ１００−３の更なる実施例を示し、スリーブ１０２−３は、センターピン１０４−３を完全に包囲している。図４の実施例において、導電性スリーブがピン１０４−３を包囲しないようにスリーブ１０２−３を誘電体材料で形成する。（図示されない）付属のケーブルのグランドシェルフ（ground  shelf）をジャック１０の接地されている部材に接続するために、図４において概略で示された接地クリップ１１０が提供され、ジャック１０の接地表面と連結する。
望ましくないインピーダンスの不整合を低減するために、ジャック及び関係するプラグ３つの変形例を概要で示す。３つの方法とは、
１．プラグ１００をポート３６内に差し込んだ後で、ジャック中心導体３０がポート３６によって包囲されている部分を有さないように、ジャック中心導体の自由端３２を移動させてスリーブ３６から離す。
２．プラグスリーブ１０２が中心導体３０を包囲する部分を有さないようにプラグスリーブ１０２を短縮する。
３．誘電体材料のプラグスリーブ１０２を成型する。誘電体スリーブの長さ方向に沿った断面において所望のインピーダンスを提供するために、誘電体材料の内部形状を周知の技術で計算してもよい。
３つの方法において、どの方法においても完璧な状態で適用する必要はない。例えば、プラグを挿入する際、自由端３２がポート３６から完全ではないが実質的にポート３６から離せば、インピーダンスの不整合は解消されることはないが大幅に低減する。更に、３つの技術を組み合わせて使用することもできる。例えば、図５に関して、自由端３２−１が完全にポート３６−１から離れている様子が示されている。オーバーラップ領域１０６−１を包囲する部分がスリーブ１０２−１にないようにスリーブ１０２−１は短縮され、スリーブ１０２−１は、スリーブ１０２−１の軸方向の長さに沿って所望のインピーダンスを得るように決められた形状を有する誘電体材料で形成してもよい。
本発明の詳細な説明から、好適実施例において本発明の目的がどのように得られるかが示された。開示された概念の変形例及び等価物は、添付の請求項の範囲に含まれる。
【図１】
0003996956.tif 000002
【図２】
0003996956.tif 000003
【図３】
0003996956.tif 000004
【図４】
0003996956.tif 000005
【図５】
0003996956.tif 000006